(57)【要約】【課題】施錠せずに商品を吊り下げるバーから容易に商品を引き出すことを防止することができる商品の吊り下げ展示具を提供することである。【解決手段】上下に並行に設けられた一対のバー１０、１２の下方バー１２に商品を吊り下げることが可能に構成されており、上方バー１０の先端に商品内容表示部１４が設けられ、該商品内容表示部１４は、前記下方バー１２に吊り下げられた商品が下方バーから引き出されるのを妨げるように前記上方バー１０と下方バー１２の間の少なくとも一部を塞ぎ、商品内容を前方に向けて表示する商品内容表示位置（図２（ｃ））、及び商品内容を前方以外の方向に向ける商品内容非表示位置（図２（ａ））の間を変位可能に構成されている商品の吊り下げ展示具において、前記商品内容表示部１４を前記商品内容表示位置でロックし、所定の方向に押圧することによって、前記ロック状態が解除されるロック部材４６をさらに備えていることを特徴とする。【選択図】図２
2007029436.tif 000002
【特許請求の範囲】
【請求項１】
上下に並行に設けられた一対のバーの下方バーに商品を吊り下げることが可能に構成されており、上方バーの先端に商品内容表示部が設けられ、
該商品内容表示部は、前記下方バーに吊り下げられた商品が下方バーから引き出されるのを妨げるように前記上方バーと下方バーの間の少なくとも一部を塞ぎ、商品内容を前方に向けて表示する商品内容表示位置、及び商品内容を前方以外の方向に向ける商品内容非表示位置の間を変位可能に構成されている商品の吊り下げ展示具において、
前記商品内容表示部を前記商品内容表示位置でロックし、所定の方向に押圧することによって、該ロック状態が解除されるロック部材をさらに備えていることを特徴とする商品の吊り下げ展示具。
【請求項２】
前記商品内容表示部は、前記上方バーの先端に設けられた取付部材に対して回動することによって前記商品内容表示位置と商品内容非表示位置を変位可能に構成されるとともに、その回動の軸近傍から突出する係合片が形成されており、
前記取付部材には、前記商品内容表示部が商品内容非表示位置に存する場合に、前記係合片が衝合させて前記商品内容表示部を商品内容非表示位置に静止させ、前記商品内容表示位置の方向に押圧することによって、その静止状態が解除されるストッパが突出され、
前記ロック部材は、前記取付部材に対して回動することによって、前記ロック状態とロック解除状態を変位可能に構成されており、前記ロック状態に位置する際に、前記ストッパに衝合し、ロック解除状態の方向に前記ロック部材を押圧することによって、前記衝合状態から解放される突出部を有することを特徴とする請求項１記載の商品の吊り下げ展示具。
【発明の詳細な説明】
【技術分野】
【０００１】
本発明は、量販店などにおいて商品を吊り下げて展示する際に、商品の品名や価格などを表示するのに用いられる商品の吊り下げ展示具に関する。
【背景技術】
【０００２】
従来のこの種の商品の吊り下げ展示具は、図７及び８に示すように上下に並行に設けられた一対のバー６０、６２の下方バー６２に商品６４を吊り下げることが可能に構成されており、上方バー６０の先端に商品内容表示部６６が設けられている。この商品内容表示部６６は、その基端側を軸として上方バー６０の先端に設けられた取付部材６８に対して回動可能に構成されている。すなわち、下方バー６２に吊り下げられた商品６４が下方バーから引き出されるのを妨げるように上方バー６０と下方バー６２の間の少なくとも一部を塞ぎ、商品内容を前方に向けて表示する商品内容表示位置（図７参照）、及び商品内容を前方以外の方向に向ける商品内容非表示位置（図８参照）の間を回動可能に構成されている。この商品の吊り下げ展示具は、商品内容表示部を図８に示す商品内容非表示位置に位置させた際に、下方バーに商品を通して吊り下げ、商品を展示する際には、商品内容表示部を図７に示す商品内容表示位置まで回動させて使用するよう構成されている（特許文献１参照）。また、この取付部材６８の両側面の商品内容表示部６６の回動軸よりも下方には、ストッパ７０が突出しているとともに、商品内容表示部６６の裏面には、商品内容表示部６６が商品内容非表示位置に存する場合に、ストッパ７０に衝合可能な長さを有する一対の突出片７２が形成されている（特許文献２参照）。このように構成することにより、商品内容表示部６６が商品内容非表示位置に存する場合に、突出片７２がストッパ７０に衝合しているので、商品内容表示部６６は、その自重により落ちて商品内容表示位置まで回動することはないが、商品内容表示６６を商品内容表示位置の方向に押圧することによって、突出片７２が湾曲してストッパ７０を超えると、商品内容表示部６６は、その自重により商品内容表示位置まで回動する。
【０００３】
【特許文献１】実用新案登録第２５９８１４３号公報
【特許文献２】実公平７−３４４５２号公報
【発明の開示】
【発明が解決しようとする課題】
【０００４】
ところで、量販店において包丁やナイフなど刃物がこのような従来の商品の吊り下げ展示具に吊り下げられて展示されている。しかしながら、その商品内容表示部は、上方バーに対して自由に回動可能に設けられているので、近年、この展示具から刃物を引き出されて、そのまま強盗や傷害などの犯罪の道具として用いられてしまう場合がある。また、商品内容表示部が、上方バーに対して自由に回転可能に設けられていることから、下方バーに吊り下げられて展示されている商品が容易に引き出されて万引きされるという問題がある。
【０００５】
これら問題を解決するため、商品を吊り下げるバーを施錠して、商品の引き出しを防止することが行なわれているが、その場合、購入者は、鍵を持った従業員を探してその従業員が施錠を外してもらわなければならないという問題がある。
【０００６】
そこで、本発明は、商品を吊り下げるバーから容易に商品を引き出すことを施錠せずに防止することができる商品の吊り下げ展示具を提供することを目的とする。
【課題を解決するための手段】
【０００７】
以上の目的を達成するため、本発明は、上下に並行に設けられた一対のバーの下方バーに商品を吊り下げることが可能に構成されており、上方バーの先端に商品内容表示部が設けられ、該商品内容表示部は、前記下方バーに吊り下げられた商品が下方バーから引き出されるのを妨げるように前記上方バーと下方バーの間の少なくとも一部を塞ぎ、商品内容を前方に向けて表示する商品内容表示位置、及び商品内容を前方以外の方向に向ける商品内容非表示位置の間を変位可能に構成されている商品の吊り下げ展示具において、前記商品内容表示部を前記商品内容表示位置でロックし、所定の方向に押圧することによって、該ロック状態が解除されるロック部材をさらに備えていることを特徴とする。
【０００８】
以上のように、本発明に係る商品の吊り下げ展示具によれば、ロック状態においては、商品内容表示部を前記商品内容表示位置でロックするので、商品を下方バーから引き出すことができないが、ロック部材を所定の方向に押圧するだけでロック状態が解除されるので、商品を吊り下げるバーから容易に商品を引き出すことを施錠せずに防止することができる。
【０００９】
本発明に係る商品の吊り下げ展示具において、前記商品内容表示部は、前記上方バーの先端に設けられた取付部材に対して回動することによって前記商品内容表示位置と商品内容非表示位置を変位可能に構成されるとともに、その回動の軸近傍から後方に突出する係合片が形成されており、前記取付部材には、前記商品内容表示部が商品内容非表示位置に存する場合に、前記係合片が衝合させて前記商品内容表示部を商品内容非表示位置に静止させ、前記商品内容表示位置の方向に押圧すると、その静止状態が解除されるストッパが突出され、前記ロック部材は、前記取付部材に回動することによって、前記ロック状態とロック解除状態を変位可能に構成されており、前記ロック状態に位置する際に、前記ストッパに衝合し、前記ロック部材をロック解除状態の方向に押圧すると前記衝合状態から解放される突出部を有することが好ましい。このように商品内容表示部及びロック部材をいずれも一つのストッパに衝合させて所定の位置に静止させ、所定の方向に押圧することによって、その衝合状態から解放するように構成しているので、商品の吊り下げ展示具の小型化を図ることができる。
【発明の効果】
【００１０】
以上のように、本発明に係る商品の吊り下げ展示具によれば、商品を吊り下げるバーから容易に商品を引き出すことを施錠せずに防止することができる商品の吊り下げ展示具を提供することができる。
【発明を実施するための最良の形態】
【００１１】
次に、本発明に係る商品の吊り下げ展示具の実施例について図面に基づいて説明する。図１は、本実施例に係る商品の吊り下げ展示具の斜視図であり、図２（ａ）乃至（ｃ）は、本実施例に係る商品の吊り下げ展示具の動作を示す右側面図である。本実施例に係る商品の吊り下げ展示具は、上下に並行に設けられた上方バー１０及び下方バー１２と、上方バー１０の先端に設けられた商品内容表示部１４と、を備えている。
【００１２】
上方バー１０及び下方バー１２は、これらの基端側を一体とするように、一本のバーをＵ字状に変形することによって形成されており、下方バー１２の基端側底面には、固定部材１６が設けられている。この固定部材１６は、板材をコの字状に変形することによって形成されており、そのコの字を形成する前面１６Ａの中央にねじ孔が形成され、そのねじ孔には、前面１６Ａを貫通してその裏面側に突出可能な長さを有する固定ねじ１８が螺合されている。このコの字状の固定部材１６を横方向に延びる商品展示棚のバーに嵌めて、固定ねじ１８の先端を前面１６Ａの裏面側に突出させることによって、商品展示棚に設置することができる。
【００１３】
下方バー１２の先端は、若干上方に向けて折れ曲がっており、Ｌ字状に上方に折れ曲がった上方バー１０の先端（図３参照）には、商品内容表示部１４が取り付けられる取付部材２０が設けられている。下方バー１２の先端は、この取付部材２０の先端よりも突出している。取付部材２０の内部は、その右側面断面図（図３）に示されるように中空になっており、底部内面には上方バー１０を挟持すべく凸部２０Ａが対向して形成されている。また、上方バー１０と下方バー１２を含む平行面と平行な取付部材２０の両側面２０Ｂ、２０Ｂは、図２及び４に示すように平面状に形成されており、その先端側は、上方バー１０よりも上方に延在している。これら取付部材２０の両側面２０Ｂの先端上方の角には、後述する商品内容表示部１４の回動軸２０Ｄが突出しており、その回動軸よりも下方の若干基端側には、商品内容表示具１４を後述する商品内容非表示位置で静止させるストッパ２０Ｅが突出している。このストッパ２０Ｅは、球面状に形成されている。また、取付部材２０の両側面２０Ｂの回動軸２０Ｄと対称となる位置には、後述するロック部材４６の回転軸２０Ｆが突出している。
【００１４】
商品内容表示部１４は、図５に示すようにその表面に商品の名称や価格などを表示する商品内容表示板２２と、この商品内容表示板２２を保持する保持部２４と、から構成されており、これら商品内容表示板２２と保持部２４は、合成樹脂から構成されている。保持部２４は、板状をなす商品内容表示板取付片２６と、これに一体的に形成された係止片２８、２８とから構成されており、この係止片２８、２８の付根部分の対向面には係止溝３０、３０が形成され、取付部材２０の回動軸２０Ｄに係合する。また、係止片２８、２８は、保持部２４が取付部材２０に取り付けられたときにその先端部がストッパ２０Ｅに衝合する長さを有し（図２（ａ）参照）、これらは、取付部材２０の幅方向の厚さよりも若干長い間隔を置いている。商品内容表示板取付片２６は、商品内容表示板２２に取り付けられる第１垂直板部材２６Ａと、第１垂直板部材２６Ａの下端から前側に水平に突出する水平板部材２６Ｂと、水平板部材２６Ｂの先端から下方垂直に突出する第２垂直板部材２５Ｃと、から構成されている。水平板部材２６Ｂは、商品内容表示部１４の商品内容表示板２２が正面を向いた商品内容表示位置に存する場合に、第２垂直板部材２５Ｃが下方バー１２の先端よりも前方に位置するのに十分な長さを有する（図２（ｃ）参照）。また、水平板部材２６Ｂの幅方向の中央には、その後端から先端に亘って孔３０が形成されており、この孔３０に下方バー１２の先端が挿入可能に構成されている。したがって、商品内容表示部１４が商品内容表示位置に存する場合、下方バー１２に吊り下げられた商品を下方バー１２から引き出そうとすると、その商品が第２垂直板部材２５Ｃに当たり、商品表示部１４を回動させないと引き出すことができない。
【００１５】
商品内容表示板２２は、前面側の透明板３２と背面側の本体板３４から成り、透明板３２と本体板３４の間に商品の名称や価格が記載された商品内容カードが挿入可能に構成されている。本体板３４の裏面には、ガイドレール３６、３６、移動幅規制ストッパ３８、４０および弾性ストッパ４２が設けられている。ガイドレール３６、３６は、商品内容表示板取付片２６の両縁を上下方向に案内するもので、このガイドレール３６、３６に商品内容表示板取付片２６を下方から上方にスライドさせて、その上端を移動幅規制ストッパ３８と衝合させ、その他の所定の箇所を移動幅規制ストッパ４０及び弾性ストッパ４２に衝合させることによって、商品内容表示板取付片２６を本体板３４に固定することができる。
【００１６】
本実施例に係る商品の吊り下げ展示具において、取付部材２０の回転軸２０Ｆには、商品内容表示部１４の取付部材２０に対する回動をロックするロック部材４６が取り付けられている。ロック部材４６は、右側面断面図（図６）に示されるように、左右側面４８、４８及び上面５０からなるコの字状に形成されており、左右側面４８、４８の下方後端には、取付部材２０の回転軸２０Ｆに係合可能な切欠５２が形成されている。ロック部材４６の左右側面４８、４８の内面には、図６に示すように上下方向に亘って段差４８Ａ、４８Ａが形成されている。これら左右側面４８、４８の内面の段差４８Ａ、４８Ａよりも前方側４８Ｂ、４８Ｂの間隔は、保持部２４の係合片２８、２８の外面の間隔よりも長く、段差４８Ａ、４８Ａよりも後方側４８Ｃ、４８Ｃの間隔は、保持部２４の係合片２８、２８の外面の間隔よりも短くなるように形成されている。段差４８Ａ、４８Ａの上方は、保持部２４の係合片２８、２８の先端の形状に沿って後方に湾曲しており、段差４８Ａ、４８Ａの下方は、ロック部材４６が前方に倒れたロック状態の際に、取付部材２０のストッパ２０Ｅに衝合するように前方に湾曲している。ロック部材４６の上面５０は、ロック状態の際に保持部２４の係合片２８、２８に当たり、保持部２４の取付部材２０に対する回動をロックするように前方に突出して延在している。
【００１７】
次に、本実施例に係る商品の吊り下げ展示具の実施例の動作について説明する。先ず、商品内容表示部１４が、図２（ａ）に示すように商品内容表示板２２が上方を向いた商品内容非表示位置に存する場合、保持部２４の係合片２８、２８は、ストッパ２０Ｅに衝合しているので、自重により回動することはなく、吊り下げる商品を下方バー１２の先端から通して下方バー１２に吊り下げることができる。なお、この際、ロック部材４６は、後方のロック解除状態に位置する。次に、商品内容表示部１４を後方に回動するように押圧することにより、保持部２４の係合片２８、２８が外側に湾曲してストッパ２０Ｅを超えると、商品内容表示部１４は、図２（ｂ）に示すようにその自重により回動して商品内容表示板２２が前方正面を向いた商品内容表示位置に位置する。次いで、ロック部材４６を前方に回動すると、先ず、段差４８Ａ、４８Ａの下端がストッパ２０Ｅに当たり、ロック部材４６をさらに押圧すると、段差４８Ａ、４８Ａの下端は、ストッパ２０Ｅを超えて、図２（ｃ）に示すロック状態に至る。この際に、ロック部材４６の段差４８Ａ、４８Ａは、ストッパ２０Ｅに衝合しているので、所定の力をロック部材４６が後方に回動する方向に加えないと、ロック部材４６が回動することはない。この際、商品内容表示部１４は、ロック部材４６の上面に当たるので、商品内容表示部１４が回動されることを防止することができる。
【００１８】
次に、ロック状態を解除して、商品を商品内容非表示位置にする場合について説明する。先ず、ロック部材４６を後方に押圧すると、段差４８Ａ、４８Ａの下方がストッパ２０を超えて回動し、図２（ｂ）に示すようにロック状態が解除された状態となる。次いで、商品内容表示部１４を商品商品内容非表示位置の方向に回動し、係合片２８、２８がストッパ２０Ｅに当たり、その際にさらに押圧すると、係合片２８、２８がストッパ２０Ｅを超えて、商品内容表示部１４は、図２（ａ）に示す商品内容非表示位置で静止する。
【００１９】
以上のように、本実施例に係る商品の吊り下げ展示具によれば、ロック状態においては、商品内容表示部１２を商品内容表示位置でロックするので、商品を下方バーから引き出すことができないが、ロック部材４６を後方の方向に押圧して、回動するだけでロック状態が解除されるので、商品を吊り下げる下方バー１２から容易に商品を引き出すことを施錠せずに防止することができる。
【図面の簡単な説明】
【００２０】
【図１】本発明に係る商品の吊り下げ展示具の実施例の斜視図である。
【図２】本実施例に係る商品の吊り下げ展示具の動作を示す右側面図である。
【図３】本実施例に係る商品の吊り下げ展示具の取付部材の右側面断面図である。
【図４】本実施例に係る商品の吊り下げ展示具の取付部材の斜視図である。
【図５】本実施例に係る商品の吊り下げ展示具の商品内容表示部の分解斜視図である。
【図６】本実施例に係る商品の吊り下げ展示具のロック部材の右側面断面図である。
【図７】従来の商品の吊り下げ展示具の商品内容表示位置の状態の右側面図である。
【図８】従来の商品の吊り下げ展示具の商品内容非表示位置の状態の右側面図である。
【符号の説明】
【００２１】
１０   上方バー
１２   下方バー
１４   商品内容表示部
４６   ロック部材
【図１】
2007029436.tif 000003
【図２】
2007029436.tif 000004
【図３】
2007029436.tif 000005
【図４】
2007029436.tif 000006
【図５】
2007029436.tif 000007
【図６】
2007029436.tif 000008
【図７】
2007029436.tif 000009
【図８】
2007029436.tif 000010
【手続補正書】
【提出日】平成18年3月1日(2006.3.1)
【手続補正１】
【補正対象書類名】特許請求の範囲
【補正対象項目名】全文
【補正方法】変更
【補正の内容】
【特許請求の範囲】
【請求項１】
上下に並行に設けられた一対のバーの下方バーに商品を吊り下げることが可能に構成されており、上方バーの先端に商品内容表示部が設けられ、
該商品内容表示部は、前記下方バーに吊り下げられた商品が下方バーから引き出されるのを妨げるように前記上方バーと下方バーの間の少なくとも一部を塞ぎ、商品内容を前方に向けて表示する商品内容表示位置、及び商品内容を前方以外の方向に向ける商品内容非表示位置の間を変位可能に構成されている商品の吊り下げ展示具において、
前記下方バーに吊り下げられた商品を下方バーから引き出すことができないように、前記商品内容表示部を前記商品内容表示位置でロックし、所定の方向に押圧することによって、該ロック状態が解除されるロック部材をさらに備えていることを特徴とする商品の吊り下げ展示具。
【請求項２】
前記商品内容表示部は、前記上方バーの先端に設けられた取付部材に対して回動することによって前記商品内容表示位置と商品内容非表示位置を変位可能に構成されるとともに、その回動の軸近傍から突出する係合片が形成されており、
前記取付部材には、前記商品内容表示部が商品内容非表示位置に存する場合に、前記係合片が衝合させて前記商品内容表示部を商品内容非表示位置に静止させ、前記商品内容表示位置の方向に押圧することによって、その静止状態が解除されるストッパが突出され、
前記ロック部材は、前記取付部材に対して回動することによって、前記ロック状態とロック解除状態を変位可能に構成されており、前記ロック状態に位置する際に、前記ストッパに衝合し、ロック解除状態の方向に前記ロック部材を押圧することによって、前記衝合状態から解放される突出部を有することを特徴とする請求項１記載の商品の吊り下げ展示具。